(57)【要約】【課題】簡易な構造であって、開閉が容易であり、気密性などに優れる上げ下げ窓を提供する。【解決手段】建物の開口部の縁に沿って備えられる枠体、該枠体内側の上部に備えられる固定障子、及び、上下に移動自在に設けられた可動障子、を備える上げ下げ窓であって、上枠又は左右の縦枠にバランサーが内設され、縦枠は直線部と傾斜部とを有するガイド溝を備えており、直線部は縦枠の長手方向に沿って設けられ、傾斜部は直線部の下枠側端に連通するとともに固定障子が備えられる側の下枠側に傾斜して延在し、可動障子が、該可動障子から突出して固定されるとともにガイド溝内を移動可能とされる支持部材を有し、支持部材にバランサーのワイヤーが掛けられ、可動障子が閉鎖姿勢で固定障子の下方に該固定障子と同一面内に並置されることを特徴とする、上げ下げ窓とする。【選択図】図１
2010216174.tif 000002
【特許請求の範囲】
【請求項１】
建物の開口部の縁に沿って備えられる上枠と下枠と左右の縦枠とを有する枠体、前記枠体内側の上部に備えられる固定障子、及び、上下に移動自在に設けられる可動障子、を備える上げ下げ窓であって、
前記上枠又は前記左右の縦枠にバランサーが内設され、
前記縦枠は直線部と傾斜部とを有するガイド溝を備えており、前記直線部は前記縦枠の長手方向に沿って設けられ、前記傾斜部は前記直線部の前記下枠側端に連通するとともに前記固定障子が備えられる側の前記下枠側に傾斜して延在し、
前記可動障子は、該可動障子から突出して固定されるとともに該突出した部分が前記ガイド溝内を移動可能とされる支持部材を有し、
前記支持部材には前記バランサーのワイヤーが掛けられ、
前記可動障子が閉鎖姿勢で前記固定障子の下方に該固定障子と同一面内に並置されることを特徴とする、上げ下げ窓。
【請求項２】
前記直線部と前記傾斜部との連通部に、摩擦低減手段が備えられていることを特徴とする、請求項１に記載の上げ下げ窓。
【請求項３】
前記摩擦低減手段が、前記ワイヤーの移動方向に対して直交方向の回転軸を有するローラーであることを特徴とする、請求項２に記載の上げ下げ窓。
【請求項４】
前記可動障子に取り付けられており、見付方向にスライド可能な係合部と、
前記縦枠に形成されており、前記係合部を見付方向の前記縦枠側にスライドさせたときに前記係合部と係合する被係合部と、
を有する施錠装置を備えることを特徴とする、請求項１〜３のいずれかに記載の上げ下げ窓。
【発明の詳細な説明】
【技術分野】
【０００１】
本発明は、住宅や公共施設等の建物開口部に備えられる上げ下げ窓に関し、詳しくは、閉鎖姿勢で固定障子と可動障子とが同一面内に並置されるとともに開閉が容易な上げ下げ窓に関する。
【背景技術】
【０００２】
建物の開口部に備えられる開口部装置の多くは、該開口部の縁に沿って取り付けられた枠体と該枠体の内側に備えられる障子を具備する。このような開口部装置の中に、上下に移動可能な可動障子によって開口部の閉鎖／開放を可能にした上げ下げ窓がある。従来、上げ下げ窓の多くは、見込み方向にずらして設けられた内障子と外障子とを備えており、そのうち少なくとも一方を上げ下げすることで開口部の閉鎖／開放を可能にしていた。
【０００３】
しかし、見込み方向にずらして設けられた内障子と外障子とを備える上げ下げ窓では、気密性に劣るなどの問題があった。そのため、閉鎖姿勢で同一面内に並置される２枚の障子を備えた上げ下げ窓が考えられている。例えば、特許文献１には、枠体内側の下部に設けられる固定障子（嵌め殺し部）と、閉鎖姿勢で枠体内側の上部に設けられる可動障子（上げ下げ障子）とを備えており、閉鎖姿勢において固定障子と可動障子とが同一面内に並置される上げ下げ窓が開示されている。
【先行技術文献】
【特許文献】
【０００４】
【特許文献１】特開平８−２９６３６２号公報
【発明の概要】
【発明が解決しようとする課題】
【０００５】
上述した通り、気密性の向上などを目的として、閉鎖姿勢において２枚の障子が同一面内に並置される上げ下げ窓がこれまでにいくつか提案されていた。従来のそのような上げ下げ窓に関する技術の多くは、単板ガラスを備えた障子を用いることを前提とし、人の力のみで可動障子を上げ下げするものであった。しかしながら、近年は断熱性の向上などを考慮して、上げ下げ窓にも複層ガラスを備えた障子を用いることが一般的となっており、複層ガラスを備えた重い障子を人の力のみで上げ下げするには大きな力を要する。
【０００６】
また、上記特許文献１では、閉鎖姿勢で同一面内に並置される２枚の障子を備え、バランサーを用いて該障子を容易に上げ下げできる上げ下げ窓が提案されているが、従来のこのような上げ下げ窓では、障子は上下に直線的に垂直移動しており、障子を見込み方向に略水平移動させるためのリンク機構を障子下部に付けることで対応していた。しかしながら、かかる形態では部品点数が多くなり、コストが高くなってしまう。さらに、該上げ下げ窓を設置するのに要するスペースが大きくなるという問題もあった。
【０００７】
そこで本発明は、上記問題に鑑み、簡易な構造であって、開閉が容易であり、気密性などに優れる上げ下げ窓を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物の開口部の縁に沿って備えられる上枠（１１）と下枠（１２）と左右の縦枠（１３、１４）とを有する枠体（１０）、該枠体内側の上部に備えられる固定障子（２０）、及び、上下に移動自在に設けられる可動障子（３０）、を備える上げ下げ窓であって、上枠又は左右の縦枠にバランサー（６０）が内設され、縦枠は直線部（４１）と傾斜部（４２）とを有するガイド溝（４０）を備えており、該直線部は縦枠の長手方向に沿って設けられ、該傾斜部は直線部の下枠側端に連通するとともに固定障子が備えられる側の下枠側に傾斜して延在し、可動障子は、該可動障子から突出して固定されるとともに該突出した部分（３８ａ）がガイド溝内を移動可能とされる支持部材（３８）を有し、支持部材にはバランサーのワイヤー（６１）が掛けられ、可動障子が閉鎖姿勢で固定障子の下方に該固定障子と同一面内に並置されることを特徴とする、上げ下げ窓（１００）を提供することにより、前記課題を解決する。
【００１０】
請求項２に記載の発明は、請求項１に記載の上げ下げ窓（１００）において、直線部（４１）と傾斜部（４２）との連通部（４３）に、摩擦低減手段（５０）が備えられていることを特徴とする。連通部に、摩擦低減手段を備えることによって、可動障子を上げ下げする度にワイヤーと連通部の角が擦れることによる磨耗を防止することができる。
【００１１】
請求項３に記載の発明は、請求項２に記載の上げ下げ窓（１００）において、摩擦低減手段が、ワイヤー（６１）の移動方向に対して直交方向の回転軸を有するローラー（５０）であることを特徴とする。
【００１２】
請求項４に記載の発明は、請求項１〜３のいずれかに記載の上げ下げ窓（１００）において、可動障子（３０）に取り付けられており、見付方向にスライド可能な係合部（３７ｂ）と、縦枠（１３、１４）に形成されており、係合部を見付方向の縦枠側にスライドさせたときに係合部と係合する被係合部（７２）と、を有する施錠装置（３７）を備えることを特徴とする。かかる施錠装置を備えることによって、意匠性及び防犯性に優れた施錠装置を備えた上げ下げ窓とすることができる。
【発明の効果】
【００１３】
本発明によれば、簡易な構造であって、開閉が容易であり、気密性などに優れる上げ下げ窓を提供することができる。
【図面の簡単な説明】
【００１４】
【図１】建物の開口部に取り付けられている上げ下げ窓１００を、室内側から正面視したときの概略図である。
【図２】図１に示した上げ下げ窓１００の枠体１０を分解して概略的に示した正面図である。
【図３】図１に示した上げ下げ窓１００のＩＩＩ−ＩＩＩ断面を概略的に示した図である。
【図４】図３に示した可動障子３０を室内側に倒した姿勢を概略的に示す図である。
【図５】図１（ｂ）に示した上げ下げ窓１００のＶ−Ｖ断面を概略的に示した図である。
【図６】（ａ）は図１に示した上げ下げ窓１００のＶＩ−ＶＩ断面の一部を概略的に示した図である。（ｂ）は施錠装置３７によって施錠した姿勢を概略的に示す図である。
【発明を実施するための形態】
【００１５】
本発明の上記した作用及び利得は、次に説明する発明を実施するための形態から明らかにされる。
【００１６】
以下本発明を図面に示す実施形態に基づき説明する。ただし、本発明はこれら実施形態に限定されるものではない。
【００１７】
図１は、建物の開口部に取り付けられている本発明の上げ下げ窓１００を、室内側から正面視したときの概略図である。図１（ａ）は閉鎖姿勢の上げ下げ窓１００を示しており、図１（ｂ）は一部開放した姿勢の上げ下げ窓１００を示している。図２は、図１（ｂ）に示した上げ下げ窓１００の枠体１０を分解して概略的に示した正面図である。図３は、図１（ａ）に示した上げ下げ窓１００のＩＩＩ−ＩＩＩ断面を概略的に示した図である。図４は、図３に示した可動障子３０を室内側に倒した姿勢を概略的に示した図である。図５は、図１（ｂ）に示した上げ下げ窓１００のＶ−Ｖ断面を概略的に示した図である。図６（ａ）は、図１（ａ）に示した上げ下げ窓１００のＶＩ−ＶＩ断面の一部を概略的に示した図であり、図６（ｂ）は、施錠装置３７によって施錠した姿勢を概略的に示した図である。なお、図１及び２においては、紙面奥が室外側、紙面手前が室内側であり、図３〜５においては、紙面左側が室外側、紙面右側が室内側であり、図６においては、紙面上側が室外側、紙面下側が室内側である。
【００１８】
以下において、「見付方向」とは全体として平板状である上げ下げ窓の該平板状の平面に沿った方向を意味し、上げ下げ窓が建物に取り付けられた姿勢では、建物開口部の開口面に沿った方向を意味する。また、「見付方向内側」とは、見付方向のうち、上げ下げ窓の中央方向を意味する。従って「見付方向外側」とは見付方向のうち、開口部から離れる方向を意味する。さらに、「見込み方向」とは全体として平板状である上げ下げ窓の該平板状の厚さ方向を意味し、上げ下げ窓が建物に取り付けられた姿勢では、建物の室内外方向を示す。
【００１９】
図１に示すように、上げ下げ窓１００は、建物開口部の縁に沿って取り付けられた枠体１０と、該枠体１０の内側に取り付けられた固定障子２０及び可動障子３０とを備え、さらに図２に示すように、バランサー６０、６０が縦枠１３、１４に内設されている。
【００２０】
枠体１０は、水平方向に配置される長尺部材である上枠１１及び下枠１２と、上枠１１及び下枠１２の端部を渡して設けられる長尺部材である左縦枠１３及び右縦枠１４とを備えている。
【００２１】
また、右縦枠１４には、図３に破線で示すように、ガイド溝４０が形成されている。なお、図示はしていないが、左縦枠１３にも右縦枠１４と同様のガイド溝が形成されている。ガイド溝４０の構成については、後に詳述する。
【００２２】
固定障子２０は、上框２１、下框２２、左縦框２３、及び、右縦框２４を方形に組み、その区画内にパネル（例えば、ガラスパネル）２５を装着して構成されている。本実施形態例では、パネル２５として、図３に示すように、２枚のガラス２５ａ、２５ｂの間にスペーサー２５ｃ、２５ｃを挟持した複層ガラスを例示しているが、単板ガラスでも構わない。ただし、断熱性を向上させるという観点からは、複層ガラスの方が好ましい。
【００２３】
また、固定障子２０は、上枠１１に上框２１が、左枠１３に左縦框２３が、右枠１４に右縦框２４がそれぞれ固定されることで、枠体１０内側の上部において、枠体１０に対して相対的に位置が固定されている。
【００２４】
可動障子３０は、上框３１、下框３２、左縦框３３、及び、右縦框３４を方形に組み、その区画内にパネル（例えば、ガラスパネル）３５を装着して構成されている。本実施形態例では、パネル３５として、図３に示すように、２枚のガラス３５ａ、３５ｂの間にスペーサー３５ｃ、３５ｃを挟持した複層ガラスを例示しているが、単板ガラスでも構わない。ただし、断熱性を向上させるという観点からは、複層ガラスの方が好ましい。また、上げ下げ窓１００は可動障子３０を小さな力で上下移動させることができるという効果を有することから、パネル３５が重い複層ガラスである場合に、より顕著な効果を奏する。
【００２５】
可動障子３０の上框３１の室内側には引手部３６が備えられており、該引手部３６に手を掛けて操作することで、可動障子３０の開閉を容易に行うことができる。また、図１〜３に示すように、上框３１（引手部３６）は、閉鎖姿勢で室内側から見て固定障子２０の下框２２を覆う形態になっている。かかる形態とすることによって、意匠性が向上するとともに、水密性、断熱性、及び防犯性に優れた構造となる。すなわち、閉鎖姿勢で固定障子２０と可動障子３０との間を上框３１（引手部３６）によって覆うことで、水や熱の出入りを防いで水密性及び断熱性を向上させるとともに、バールなどを差し込み難くすることで防犯性を高められる。
【００２６】
また、可動障子３０の左縦框３３及び右縦框３４のそれぞれの下端部には、図２に示すように、見付方向外側に突出して支持部材３８、３８が取り付けられている。支持部材３８は、ガイド溝４０と係合する支持部３８ａを有する。また、支持部３８ａには、環状溝３８ｂが備えられており、環状溝３８ｂには、縦枠１３、１４の上部それぞれに内設されたバランサー６０に連なるとともにガイド溝４０に沿って配設されたワイヤー６１の一端が係止されている（図２、３参照）。従って、可動障子３０はバランサー６０、６０によって吊られた状態にある。バランサー６０には渦巻きバネが内設されており、可動障子３０の質量と平衡を保ち、可動障子３０を小さな力で上下移動させることを可能にするとともに、任意の高さで停止させることができる。
【００２７】
可動障子３０は、閉鎖姿勢では、図３に示すように、枠体１０内側の固定障子２０の下方において固定障子２０と同一面内に並置されている。このとき、見付方向外側に突出するようにして上框３１に設けられたラッチ７０（図６（ａ）参照）が、右縦枠１４に設けられた凹部（被係合部）７１（図６（ａ）参照）に係合されており、可動障子３０のガタツキが防止されている。なお、図６では右縦枠１４側のみ図示しているが、左縦枠１３側も同様である。
【００２８】
また、閉鎖姿勢で可動障子３０と固定障子２０とが同一面内に並置されていることから、気密性を確保する部材を同一面内に設けることができ、可動障子と固定障子とを見付方向にずらして配設していた従来の上げ下げ窓より、気密性を高めることができる。より具体的には、上げ下げ窓１００では、閉鎖姿勢において、固定障子２０と上枠１１との間にパッキン８１（図３参照）を介在させ、固定障子２０と右縦枠１４との間にパッキン８４（図６では可動障子３０と右縦枠１４との間のパッキン８４が図示されているが、パッキン８４は右縦枠１４に沿って延在している。）を介在させ、固定障子２０と左縦枠１３との間にパッキン（図示していないが、パッキン８４と同様。）を介在させ、固定障子２０の下框２２と可動障子３０の上框３１との間にパッキン８２（図３参照）を介在させ、可動障子３０と下枠１２との間にパッキン８３（図３参照）を介在させ、可動障子３０と右縦枠１４との間にパッキン８４（図６参照）を介在させ、可動障子３０と左縦枠１３との間にパッキン（図示していないが、パッキン８４と同様。）を介在させている。これらのパッキンは上枠１１、下枠１２、左縦枠１３又は右縦枠１４に沿って延在しており、略同一面内に配設されている。そのため、気密性を確保しやすくなっている。また、可動障子３０と固定障子２０とが同一面内に並置され、上記パッキンが略同一面内に配設されていることから、断熱性を向上させることもできる。
【００２９】
さらに、可動障子３０と固定障子２０とが同一面内に並置されることによって、防犯性の向上を図ることもできる。従来の上げ下げ窓では、枠体内側の下部に備えられた障子の下框と下枠との間にバールなどを差し込むことで該障子を押し上げ、該障子の上部に取り付けられたクレセント錠が破壊されるということがあった。しかしながら、上げ下げ窓１００では閉鎖姿勢で可動障子３０と固定障子２０とが同一面内に並置されることから、下枠１２と下框３２との間にバールを差し込んで可動障子３０を押し上げるということが困難である。
【００３０】
次に、ガイド溝４０及び可動障子３０の開閉操作について説明する。図３に示すように、右縦枠１４に形成されたガイド溝４０は、直線部４１及び傾斜部４２を備えている。直線部４１は、固定障子２０に対して見込み方向内側において、右縦枠１４の長手方向に延在している。傾斜部４２は、直線部４１の下枠１２側端に連通するとともに固定障子２０が備えられる側の下枠１２側に向かって延在している。
【００３１】
傾斜部４２の水平面に対する傾斜角θ（図３参照）は特に限定されるものではないが、２５度以上４５度以下の範囲であることが好ましい。傾斜角θが小さ過ぎる場合は、可動障子３０を開ける際に要する力が大きくなる。
【００３２】
可動障子３０を開ける際には、例えば、まず、可動障子３０の上框３１の室内側に備えられた引手部３６に手を掛けて室内側に引くことで、上框３１に設けられたラッチ７０を縦枠１３、１４に設けられた凹部７１から離脱させる。そして、図４に示すように、支持部３８ａを支点として、ラッチ７０がガイド溝４０と係合するまで可動障子３０を室内側に倒す。このとき、ラッチ７０及び支持部３８ａがガイド溝４０と係合しているため、あとは引手部３６や下框３２に備えられた引手片３９などに手を掛けて可動障子３０を引き上げることで、図５に示すように、可動障子３０をガイド溝４０に沿って上方向へ移動させることができる。また、ラッチ７０がガイド溝４０と係合していることによって、可動障子３０を上下移動させる際に、可動障子３０の上部のガタツキを防止することができる。
【００３３】
可動障子３０を閉める際には、まず、引手部３６や引手片３９などに手を掛けて、支持部３８ａがガイド溝４０の下端に達するまで可動障子３０を引き下げる。その後、支持部３８ａを支点として可動障子３０の上部を見込み方向外側に押すことでラッチ７０をガイド溝４０から離脱させるとともに、ラッチ７０を凹部７１に係合させる。
【００３４】
このように可動障子３０を上げ下げする際、ワイヤー６１が、直線部４１と傾斜部４２との連通部の角４３で擦れることになる。すなわち、可動障子３０が閉められた姿勢では、図３に示すように、ワイヤー６１が直線部４１と傾斜部４２の連通部の角４３に当接しており、この姿勢から上記したように可動障子３０を開閉すれば、ワイヤー６１が動くことによってワイヤー６１と角４３とが擦れることになる。そこで、上げ下げ窓１００では、角４３に、ワイヤー６１の移動方向に対して直交方向の回転軸を有するローラー（摩擦低減手段）５０を配設している。ローラー５０はワイヤー６１に当接しており、ワイヤー６１が動くとローラー５０が回転し、ワイヤー６１と角４３とが擦れることによって磨耗することを防止できる。
【００３５】
本実施形態例では、摩擦低減手段としてローラー５０を例示したが、本発明はかかる形態に限定されない。例えば、角４３の部分を耐摩耗性に優れた材料（クロムモリブデン鋼など）で構成したり、角４３に固体潤滑材を塗布したりしても良い。
【００３６】
さらに、本発明の上げ下げ窓１００には、図１及び６に示すように、可動障子３０の上框３１の室内側に施錠装置３７、３７が備えられている。施錠装置３７、３７について以下に説明する。
【００３７】
施錠装置３７は、上框３１の引手部３６の室内側に備えられた取っ手３７ａ、及び、取っ手３７ａと連通しており引手部３６の内側に備えられた係合部３７ｂを備えている。開錠姿勢では図６（ａ）に示すように係合部３７ｂが引手部３６の内側に納められている。取っ手３７ａを見付方向外側にスライドさせると、図６（ｂ）に示すように、係合部３７ｂが見付方向外側に突出し、右縦枠１４に形成された穴７２から右縦枠１４に挿入されるとともに、受け部（被係合部）７３と係合して、施錠される。また、施錠姿勢から取っ手３７ａを見付方向内側にスライドさせることで、係合部３７ｂが穴７２から離脱し、開錠される。図６では右側の施錠装置３７についてのみ図示しているが、左側の施錠装置３７も同様である。
【００３８】
施錠装置３７、３７は正面視においてパネル２５、３５と重なることがなく、意匠性に優れる。また、施錠装置３７、３７は室外側からは見えず、室外側から鍵の位置を確認し難いため、防犯性に優れるという効果も有する。
【００３９】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う上げ下げ窓も本発明の技術的範囲に包含されるものとして理解されなければならない。
【符号の説明】
【００４０】
１０  枠体
１１  上枠
１２  下枠
１３  左縦枠
１４  右縦枠
２０  固定障子
２１  上框
２２  下框
２３  左縦框
２４  右縦框
２５  パネル
３０  可動障子
３１  上框
３２  下框
３３  左縦框
３４  右縦框
３５  パネル
３６  引手部
３７  施錠装置
３７ａ  取っ手
３８ｂ  係合部
３８  支持部材
３９  引手片
４０  ガイド溝
４１  直線部
４２  傾斜部
５０  ローラー
６０  バランサー
６１  ワイヤー
７０  ラッチ
７１  凹部（被係合部）
７２  穴
７３  受け部（被係合部）
８１、８２、８３、８４  パッキン
１００  上げ下げ窓
【図１】
2010216174.tif 000003
【図２】
2010216174.tif 000004
【図３】
2010216174.tif 000005
【図４】
2010216174.tif 000006
【図５】
2010216174.tif 000007
【図６】
2010216174.tif 000008